(57)【要約】【課題】ボードの照度ムラ、照度差を低減できるボード用照明装置を提供する。【解決手段】照明装置１は、ボード５に平行に配列された複数のＬＥＤ３２と、各ＬＥＤ３２に対応して設けられ、各ＬＥＤ３２からの光を集光する集光レンズ３３と、集光レンズ３３によって集光された光の光束を、長手方向の大きさの方が奥行きの方向の大きさよりも大きい帯状の光束Ｌ３５に変化させるレンチキュラレンズ板３５と、を備える。【選択図】図９
2020087508.tif 000002
【特許請求の範囲】
【請求項１】
長手方向に細長い形状を有するボード照明装置であって、
ボードに平行に配列された複数の点光源と、
各点光源に対応して設けられ、各点光源からの光を集光する第１光学部と、
前記第１光学部によって集光された光の光束を、長手方向の大きさの方が長手方向に直交する方向である奥行方向の大きさよりも大きい帯状の光束に変化させる第２光学部と、
を備えるボード照明装置。
【請求項２】
前記点光源及び前記第１光学部を収容する照明収容部と、
前記照明収容部内に設けられ、前記照明収容部内部において手前側に進む光を吸収する光吸収部とを備える
ことを特徴とする請求項１に記載のボード照明装置。
【請求項３】
前記第２光学部から出光する光の光軸の向きは、ボードから離れる方向である
ことを特徴とする請求項１又は請求項２に記載のボード照明装置。
【請求項４】
前記第２光学部よりも下側の範囲に配置され、前記第２光学部からの光の一部をボード側に反射する反射面を備える
ことを特徴とする請求項１から請求項３のいずれかに記載のボード照明装置。
【請求項５】
複数の点光源に対応した複数の前記第１光学部材を備え、
前記第２光学部は、
長手方向に細長い板状の部材であり、
複数の前記第１光学部材のうち２以上に対応して１つ設けられている
ことを特徴とする請求項１から請求項４のいずれかに記載のボード照明装置。
【発明の詳細な説明】
【技術分野】
【０００１】
本発明は、ボードを照明するボード照明装置に関するものである。
【背景技術】
【０００２】
従来、広告看板等に設置可能な照明装置があった（例えば特許文献１）。
しかし、従来の照明装置は、ボード表面の照度ムラ、照度差が大きかった。
【先行技術文献】
【特許文献】
【０００３】
【特許文献１】特開２０１２−１０４３４５号公報
【発明の概要】
【発明が解決しようとする課題】
【０００４】
本発明の課題は、ボードの照度ムラ、照度差を低減できるボード用照明装置を提供することである。
【課題を解決するための手段】
【０００５】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
ボード（５）を照明するボード照明装置（１）は、ボードに平行に配列された複数の点光源（３２）と、各点光源に対応して設けられ、各点光源からの光を集光する第１光学部（３３）と、前記第１光学部によって集光された光の光束を、長手方向の大きさの方が奥行きの方向の大きさよりも大きい帯状の光束に変化させる第２光学部（３５）と、を備える。
【発明の効果】
【０００６】
本発明によれば、ボードの照度ムラ、照度差を低減できるボード用照明装置を提供できる。
【図面の簡単な説明】
【０００７】
【図１】実施形態の照明装置１がボード５に装着された状態を下側Ｚ１から見た斜視図である。
【図２】実施形態の照明装置１単体を上側Ｚ２から見た図である。
【図３】実施形態の照明装置１の一部拡大図である。
【図４】実施形態の配電部２０及び基板３１の構成を模式的に説明する図である。
【図５】実施形態の照明装置１単体を下側Ｚ１から見た図である。
【図６】アクリル板３６、レンチキュラレンズ板３５、基板３１の各単体を下側Ｚ１から見た図である。
【図７】実施形態の照明装置１を下側Ｚ１から見た断面図である。
【図８】実施形態の照明装置１の一部拡大図である。
【図９】実施形態の集光レンズ３３、レンチキュラレンズ板３５の光学的な作用を説明する図ある。
【図１０】実施形態の照明装置１がボード前面を照光する形態を説明する縦断面である。
【図１１】実施形態の照明装置１の右端部であって、右キャップ６０Ｒを取り外した状態を拡大した示す図である。
【図１２】実施形態の照明装置１の右端部を拡大して示す斜視図である。
【図１３】実施形態のストッパ４５の単体を説明する図である。
【図１４】実施形態の右端部の構成部品の分解斜視図である。
【図１５】実施形態の右キャップ６０Ｒ単体を示す図である。
【図１６】実施形態の内カバー７１単体を示すである。
【図１７】実施形態の右側部５０ＲにおいてＡＣケーブル２７を配置する構造を説明する模式図である。
【図１８】実施形態の左端部の構成部品の分解斜視図である。
【図１９】実施形態の右側部５０Ｒの後部６２ｃ，７１ｃ，７５ｃ、左側部５０Ｌの後部６２ｃを分離した照明装置１を、ボード５に取り付けた状態の斜視図である。
【図２０】実施形態の照明ユニット１００を示す図である。
【図２１】実施形態の照明装置１Ａ，１Ｂ間の連結部分を拡大して示す図である。
【図２２】実施形態の照明ユニット１００の右端に配置された照明装置１Ａのボード１０５への取り付け部分を拡大して示す斜視図である。
【発明を実施するための形態】
【０００８】
（実施形態）
以下、図面等を参照して本発明の実施形態について説明する。
図１は、実施形態の照明装置１がボード５に装着された状態を下側Ｚ１から見た斜視図である。
図１（Ａ）は、実施形態の照明装置１及びボード５の全体を示す図である。
図１（Ｂ）は、右側部５０Ｒ近傍を拡大した図である。
図１（Ｃ）は、左側部５０Ｌ近傍を拡大した図である。
なお、図面及び実施形態では、図１の状態を基準に、左右方向Ｘ（長手方向）、奥行方向Ｙ（短手方向）、鉛直方向Ｚと図示及び説明し、また、左側Ｘ１、右側Ｘ２、手前側Ｙ１、奥側Ｙ２、下側Ｚ１、上側Ｚ２として図示及び説明する。左右方向Ｘ、奥行方向Ｙ、鉛直方向Ｚは、互いに直交する。
【０００９】
ボード５は、照明装置１が照明する対象であり、照明装置１が照明可能な面を有するものであればその種別は限定されない。ボード５は、例えば、支柱等を有し自立したのもの、壁等に固定されたもの、天井から吊り下げられたもの等である。また、ボード５は、例えば、黒板、掲示板、広告看板等であり、黒板には、フェルトペンを用いて文字等が書かれる白板（いわゆるホワイトボード）を含む。ボード５は、照明装置１の専用のものではなくてもよい。つまり、ボード５は、汎用のものでもよく、例えば、市場で流通していたり、既に設置されたものでもよい。図１のボード５は、壁に設置された白板の例である。
【００１０】
照明装置１（ボード照明装置）は、ボード５を照明する装置である。照明装置１は、単体の状態でボード５に装着することができ（図１参照）、又は後述するように左右方向Ｘに複数連結してボード５に装着することができる（図２０参照）。
照明装置１は、左右方向Ｘに細長く、奥行方向Ｙに短く、鉛直方向Ｚに小さい箱状の形状である。照明装置１の大きさは、例えば、左右１２００ｍｍ程度であり、奥行５０〜２００ｍｍ程度である。
【００１１】
［照明装置１の単体の構成］
照明装置１を単体の構成を説明する。
図２は、実施形態の照明装置１単体を上側Ｚ２から見た図である。
図２（Ａ）は、上蓋１９を固定した状態である。
図２（Ｂ）は、上蓋１９を取り外した状態である。
図３は、実施形態の照明装置１の一部拡大図である。
図３（Ａ）は、上蓋１９を取り外した状態の右端近傍の拡大図である。
図３（Ｂ）は、図３（Ａ）のＢ−Ｂ断面図である。
【００１２】
図２、図３に示すように、照明装置１は、基部１０、上蓋１９、配電部２０、照明部３０、光学部材保持部４０、右側部５０Ｒ、左側部５０Ｌを備える。
基部１０は、アルミニウムにより形成されている。基部１０は、押し出し成型によって一体的に形成されており、左右方向Ｘ（連結方向）に細長く形成されている。基部１０は、押し出し成型品を切断して形成される。このため、基部１０を左右方向Ｘから見た断面は、孔開け加工された部分（ケーブル挿通穴１５ａ等）を除き一定の形状である。
上蓋１９も、基部１０と同様に形成される。基部１０の左右方向Ｘの長さと、上蓋１９の左右方向Ｘの長さとは、等しい。
【００１３】
［基部１０、上蓋１９］
図２、図３に示すように、基部１０は、配電収容部１２、溝部１２ａ、照明収容部１３、隔壁１５、設置部１６を備える。
図２（Ｂ）に示すように、配電収容部１２、照明収容部１３は、それぞれ開口を有する箱状に形成された部分である。配電部２０は、上側Ｚ２及び左右両側に開口しており、照明収容部１３は、下側Ｚ１及び左右両側に開口している。
配電収容部１２、照明収容部１３は、配電部２０が奥側Ｙ２、照明収容部１３が手前側Ｙ１になるように隔壁１５によって連結されることにより、断面がＺ字状になるように連結される。
【００１４】
配電収容部１２は、配電部２０（ケーブル２１〜２３、分配器兼用コネクタ２４、変換器２５等）を収容する部分である。配電収容部１２は、左右方向Ｘに細長い空間を有する。
溝部１２ａは、配電部２０内に設けられている。溝部１２ａは、左右方向Ｘに細長く、左右方向Ｘに延在している。溝部１２ａは、隔壁１５に沿って設けられている。溝部１２ａは、左右方向Ｘに沿って設けられた２つのリブ１２ｂによって形成される。
【００１５】
照明収容部１３は、照明部３０を収容する部分である。なお、照明収容部１３の一部構成（反射壁３７等）も、照明部３０の一部を構成する。照明収容部１３は、左右方向Ｘに細長い空間を有する。
隔壁１５は、配電収容部１２及び照明収容部１３間を仕切る壁部である。隔壁１５は、上側Ｚ２に至る程、手前側Ｙ１に至るように傾斜している。
隔壁１５は、ケーブル挿通穴１５ａを備える。
ケーブル挿通穴１５ａは、ケーブル３１ａ（後述する）を通すための貫通穴である。ケーブル挿通穴１５ａは、隔壁１５を切削加工等によって穴開け加工することにより形成されている。ケーブル挿通穴１５ａは、配電収容部１２及び照明収容部１３の間を連通する。
【００１６】
設置部１６は、複数の照明装置１を連結したり、照明装置１をボード５に設置したりする場合に利用される部分である。設置部１６は、配電収容部１２よりも奥側Ｙ２の部分である。
設置部１６は、連結穴部１６ｃ、ボード取り付け部１６ａを備える。
ボード取り付け部１６ａは、奥側Ｙ２に突出するように設けられたつば状の部分である。
ボード取り付け部１６ａは、鉛直方向Ｚに貫通した複数の設置穴１６ｂを備える。
照明装置１は、設置穴１６ｂを利用して、ボード５の天面にネジ止め等されることにより、ボード５に固定される。これにより、照明装置１は、ボード５の上側Ｚ２にスペースを要することなく、ボード５に取り付けできる。
連結穴部１６ｃは、左右方向Ｘに貫通するように設けられた細長い穴である。なお、連結穴部１６ｃは、奥側Ｙ２にも開口している。後述するように、連結穴部１６ｃは、複数の照明装置１を連結するために利用される。
【００１７】
図３（Ｂ）に示すように、上蓋１９は、配電収容部１２の開口部を開閉する板状の部材である。上蓋１９を基部１０に取り付ける場合には、上蓋１９を斜めに配置した状態で手前側Ｙ１の先端の引っ掛け部を基部１０の手前側Ｙ１の溝に引っ掛けて、奥側Ｙ２に回転することにより水平に配置する。そして、上蓋１９の穴１９ｄ、基部１０の奥側Ｙ２に設けられた溝部１６ｄを利用して、上蓋１９を基部１０にネジ止めする。
【００１８】
［配電部２０］
図４は、実施形態の配電部２０及び基板３１の構成を模式的に説明する図である。
図４（Ａ）は、配電部２０の各コネクタ２２ａ，２４にＡＣケーブル２７を接続していない状態である。
図４（Ｂ）は、右入線の状態である。図４（Ｃ）は、左入線の状態である。
配電部２０は、ＡＣケーブル２７から供給された電力を、各基板３１に供給するための部分である。
図２（Ｂ）、図４に示すように、配電部２０は、ケーブル２１，２２，２３、分配器兼用コネクタ２４、変換器２５を備える。
ケーブル２１，２２は、ＡＣ電力用のケーブルであり、ケーブル２３は、ＤＣ電力用のケーブルである。
なお、ケーブル２１，２２は、ＧＮＤ（グランド）線を含む３線構成であるが、これを含まず２線構成でもよい。
ケーブル２１は、配電収容部１２内の右側Ｘ２に配置される。ケーブル２１の一端は、分配器兼用コネクタ２４に接続される。ケーブル２１の他端は、変換器２５に接続されている。ケーブル２１の長さ、つまり、分配器兼用コネクタ２４から変換器２５までの長さは、ケーブル２１を延ばした状態で、基部１０内に収まる長さである。
【００１９】
ケーブル２２は、配電収容部１２内の左側Ｘ１に配置される。ケーブル２２の一端は、分配器兼用コネクタ２４に接続される。ケーブル２２の他端には、オスのコネクタ２２ａが設けられている。ケーブル２２の長さ（つまり、分配器兼用コネクタ２４からコネクタ２２ａまでの長さ）は、ケーブル２２を延ばした状態で、コネクタ２２ａ側が基部１０内からはみ出る。このため、照明装置１を単体で使用する場合には、ケーブル２２は、２つ折り等にして、基部１０内に収容される（図２（Ｂ）参照）。
ケーブル２３は、変換器２５で変換後のＤＣ電力を、基板３１に供給する。ケーブル２３の一端は、変換器２５に接続される。ケーブル２３の他端には、接続端子が設けられている。接続端子は、基板３１に接続されたケーブル３１ａに接続される。
【００２０】
分配器兼用コネクタ２４は、ＡＣ電流を分配する電気機器である。
前述したように、分配器兼用コネクタ２４には、ケーブル２１，２２が接続されている。ケーブル２１，２２の端部には圧着端子等が設けられており、これら圧着端子等が分配器兼用コネクタ２４に圧入されている。このため、ケーブル２１，２２及び分配器兼用コネクタ２４を分離、分解する場合には、破壊等が必要になる。実施形態では、このような接続態様を、適宜、固定した接続等という。
分配器兼用コネクタ２４は、他のケーブル２０ａを着脱可能に接続可能である。分配器兼用コネクタ２４の回路は、分配器兼用コネクタ２４に固定して接続されたケーブル２１，２２、着脱可能に接続された他のケーブル２０ａを、三つ又状に接続する。このため、これら３つのケーブル２１，２２，２０ａ間は、電気的に相互に接続される。なお、分配器兼用コネクタ２４に他のケーブル２０ａが接続されず、固定されたケーブル２１，２２のみが接続された状態は、ケーブル２１，２２間のみが、電気的に接続された状態である。
【００２１】
変換器２５は、供給されたＡＣ電力を、照明部３０のＬＥＤ３２に対応したＤＣ電力に変換する装置である。変換されたＤＣ電力は、ケーブル２３等を介して、基板３１に供給される。変換器２５は、ネジ止め、粘着テープ等によって、配電部２０内に固定されている。
【００２２】
図４（Ｂ）、図４（Ｃ）に示すように、照明装置１には、ＡＣケーブル２７によって電力が供給される。ＡＣケーブル２７は、照明装置１と、ＡＣ電力を供給する差し込み口とを、電気的に接続する。
ＡＣケーブル２７の一端には、差込プラグ（図示せず）が設けられている。差込プラグは、差し込み口に差し込まれる。差し込み口は、ボード５の設置施設の壁面等に設けられている。ＡＣケーブル２７の他端には、オスのコネクタ２７ａが設けられている。
【００２３】
照明装置１は、設置施設に設置する場合に、右側Ｘ２からの電力供給（実施形態では「右入線」ともいう）、左側Ｘ１からの電力供給（実施形態では「左入線」ともいう）のいずれかを選択できる。
図４（Ｂ）に示すように右入線では、ＡＣケーブル２７、ケーブル２１は、分配器兼用コネクタ２４によって、接続することができる。この場合には、ＡＣ電力は、分配器兼用コネクタ２４、ケーブル２１を介して、変換器２５に供給される。
図４（Ｃ）に示すように左入線では、ＡＣケーブル２７、ケーブル２２は、コネクタ２２ａによって、接続することができる。この場合には、ＡＣ電力は、ケーブル２２、分配器兼用コネクタ２４、ケーブル２１を介して、変換器２５に供給される。
【００２４】
［照明部３０］
（照明部３０の構成）
図５は、実施形態の照明装置１単体を下側Ｚ１から見た図である。
図５（Ａ）は、アクリル板３６、レンチキュラレンズ板３５を取り付けた状態である。
図５（Ｂ）は、アクリル板３６、レンチキュラレンズ板３５を取り外した状態である。
図５（Ｃ）は、基板３１及び光吸収部３４を拡大した図である。
図６は、アクリル板３６、レンチキュラレンズ板３５、基板３１の各単体を下側Ｚ１から見た図である。
図７は、実施形態の照明装置１を下側Ｚ１から見た断面図である。
図８は、実施形態の照明装置１の一部拡大図である。
図８（Ａ）は、集光レンズ３３の中心を通る部分の縦断面図（図８（Ｃ）のＡ−Ａ断面図）である。
図８（Ｂ）は、集光レンズ３３の中心を通らない部分の縦断面図（図８（Ｃ）のＢ−Ｂ断面図）である。
図８（Ｃ）は、１つの集光レンズ３３の近傍の構成を、下側Ｚ１から見た図である。
図９は、実施形態の集光レンズ３３、レンチキュラレンズ板３５の光学的な作用を説明する図ある。
図１０は、実施形態の照明装置１がボード前面を照光する形態を説明する縦断面である。
【００２５】
図５から図８に示すように、照明部３０は、基板３１、集光レンズ３３（第１光学部）、光吸収部３４、レンチキュラレンズ板３５（第２光学部）、アクリル板３６、反射壁３７（反射面）を備える。
基板３１は、ＬＥＤ３２を実装するための電気基板である。基板３１の形状は、左右方向Ｘに細長い板状である。１つの照明装置１当たり、４つの基板３１が左右方向Ｘに１列に配列されている（図５（Ｂ）、図６参照）。左右方向Ｘにおいて、１つの基板３１の長さは、例えば、３００ｍｍ程度である。
【００２６】
右端部に配置された基板３１には、ケーブル２３に接続するためのケーブル３１ａ（図２（Ｂ）、図４参照）が設けられている。また、隣合う基板３１間は、ケーブルによって電気的に接続されている。これにより、変換器２５からのＤＣ電力は、４つの基板３１に供給される。
【００２７】
なお、照明装置１の全長は、製品の仕様等に応じて、基板３１の個数を変更することにより、例えば、９００ｍｍ、６００ｍｍ等と容易に対応できる。この場合には、左右方向Ｘにおいて、押し出し成型品である基部１０、上蓋１９の切断箇所を、変更すればよい。
【００２８】
１つの基板３１には、３つのＬＥＤ３２（点光源）が左右方向Ｘに１列に配列されて実装されている。隣合うＬＥＤ３２の間隔Ｌ３２は、等しい。また、基板３１が配列された状態でも、各ＬＥＤ３２の端部に実装されたＬＥＤ３２と、これに隣合う基板３１の端部に実装されたＬＥＤ３２とは、同じ間隔Ｌ３２である。つまり、隣合う基板３１は、各基板３１の端部に実装されたＬＥＤ３２間が間隔Ｌ３２になるように、照明収容部１３に固定される。また、奥行方向Ｙにおいて、ボード前面及びＬＥＤ３２間の距離は、例えば１００ｍｍ程度であるが、これに限定されない。この距離は、後述するようなボード前面の輝度差を少なくできる作用、効果等を奏する範囲内で変更してもよい。
基板３１を照明収容部１３内に固定した状態において、基板３１の法線方向は、下側Ｚ１に至る程、手前側Ｙ１に至るように傾斜している（図８（Ａ）参照）。このため、ＬＥＤ３２が発する光の光軸も、同様に傾斜している。
【００２９】
集光レンズ３３は、ＬＥＤ３２が発した光を集光する作用を有するレンズである。
集光レンズ３３は、各ＬＥＤ３２に対応して１つ設けられている。このため、１つの基板３１当たり３つの集光レンズ３３が設けられ、また、照明装置１全体では、１２個の集光レンズ３３を備える。
なお、照明部３０は、集光レンズ３３の代わりに、集光レンズ３３と同様な集光の機能を有する光学部材（例えば、フード状の反射鏡を有する光学部材等）を備えていてもよい。
【００３０】
集光レンズ３３は、例えば、樹脂を射出成型することにより製作される。
図７、図８に示すように、集光レンズ３３の外形は、円錐形状である。円錐の底面は、集光の機能に適する凸状、凹状等に形成されている。集光レンズ３３は、頂点側がＬＥＤ３２側になるように配置されており、頂点部がＬＥＤ３２の直下に位置する。円錐の中心軸とは、ＬＥＤ３２の光軸（ＬＥＤ３２からの光の光束の中心軸）とは、一致している。
集光レンズ３３は、基板３１に取り付けられる。この取り付け方法は、限定されず、例えば、集光レンズ３３に爪等を設けて基板３１に引っ掛けるようにしてもよく、また、両面テープ等を用いてもよい。
【００３１】
図５（Ｂ）、図５（Ｃ）に示すように、光吸収部３４は、基板３１毎に設けられている。つまり、照明部３０は、４つの光吸収部３４を備える。基板３１、光吸収部３４は、照明収容部１３の上側Ｚ２の内壁（天井部）に、ネジで共締めされることにより固定される。
光吸収部３４は、ＬＥＤ３２が発した光の一部を吸収するための部材である。このため、光吸収部３４の色彩は、黒色である。光吸収部３４は、例えば、樹脂を射出成型することにより製作できる。なお、光吸収部３４の表面粗さは、光吸収の程度が適度になるように、調整されていてもよい。
【００３２】
光吸収部３４の形状は、基板３１の長さ対応しており、左右方向Ｘに細長い。
図７、図８（Ｂ）に示すように、光吸収部３４の断面形状は、緩かに湾曲した湾曲部３４ａと、直線状の板状部３４ｂとが接続されたＬ字形状である。
湾曲部３４ａは、照明収容部１３の手前側Ｙ１の内壁面１３ａ（図８（Ｂ）参照）に、ほぼ沿うように配置されている。このため、湾曲部３４ａは、手前側Ｙ１に至る程、下側Ｚ１に至るように傾斜している。板状部３４ｂは、基板３１の下側Ｚ１に重なるように配置され、基板３１の下面のほぼ全面を覆う。
【００３３】
レンチキュラレンズ板３５は、集光レンズ３３によって集光された光の光束を、外形が左右方向Ｘの大きさの方が奥行方向Ｙの大きさよりも大きい帯状の光束に変化させる作用を有する光学部材である。レンチキュラレンズ板３５及び集光レンズ３３の距離は短く、例えば、１ｍｍ程度である。
レンチキュラレンズ３５ａは、レンチキュラレンズ板３５の上面に形成されている。また、レンチキュラレンズ板３５の下面は、梨地状に加工された拡散面３５ｂである。
レンチキュラレンズ板３５は、各基板３１に１つ設けられ、また、照明装置１全体では、４つのレンチキュラレンズ板３５を備える（図６参照）。つまり、照明装置１は、３つのＬＥＤ３２に対応して１つのレンチキュラレンズ板３５を備える。レンチキュラレンズ板３５の形状は、左右方向Ｘに細長い板状である。
レンチキュラレンズ板３５は、基板３１と同様に傾斜して配置されている。このため、集光レンズ３３からの光の光軸と、レンチキュラレンズ板３５の上面とは、直交する。
【００３４】
アクリル板３６は、透明な板材である。アクリル板３６の形状は、左右方向Ｘに細長い板状である。アクリル板３６の外形と、４つのレンチキュラレンズ板３５を左右方向Ｘに並べた形状と、同等である。アクリル板３６は、レンチキュラレンズ板３５の下側Ｚ１に重ねるように配置されている。
【００３５】
図８（Ｂ）に示すように、反射壁３７は、レンチキュラレンズ板３５を通過した光の一部を、反射するための面である。反射壁３７は、照明収容部１３の手前側Ｙ１の壁部の奥側Ｙ２の面である。この壁部は、アクリル板３６の手前側Ｙ１かつ下側Ｚ１に回り込むように延長されている。
このため、反射壁３７は、レンチキュラレンズ板３５よりも下側Ｚ１の範囲のうちボード５側とは反対側の部分に配置される。反射壁３７は、ボード５に向かい合うように配置される。反射壁３７の大きさは、十分に大きく（例えば、鉛直方向Ｚの長さが１５ｍｍ程度）、十分な面積を有する。
【００３６】
（照明部３０の光学的作用）
照明部３０の光学的作用について、詳細に説明する。
（集光レンズ３３、レンチキュラレンズ板３５、反射壁３７の光学的作用）
図９を参照して、集光レンズ３３、レンチキュラレンズ板３５のレンチキュラレンズ３５ａの光学的作用について説明する。
図９は、集光レンズ３３、レンチキュラレンズ板３５のレンチキュラレンズ３５ａの作用を明確に説明するために、便宜上、これら以外の光学的要素（レンチキュラレンズ板３５の拡散面３５ｂ、光吸収部３４、反射壁３７、各種乱反射等）がない状態を示す。また、図９の光束の図示は、極端なものであり、例えば、集光レンズ３３からの光の光束は、ある程度の広がりを持っていてもよい。
以下説明するように、集光レンズ３３、レンチキュラレンズ板３５のレンチキュラレンズ３５ａは、主に、ＬＥＤ３２の光をボード５の下方に照光させる作用、効果を奏する。
【００３７】
図９（Ａ）、図９（Ｂ）に示すように、ＬＥＤ３２からの光の光束は、集光レンズ３３によって、スポットライト状に変換される。集光レンズ３３の底面からの出射角（屈折角）は、例えば、０度以上、１５度以下程度である。
図９（Ｃ）、図９（Ｄ）に示すように、レンチキュラレンズ３５ａは、入射角０度で入射した光を、左右方向Ｘに広がるよう光束を有するように、下面から出光させる。
左右方向Ｘにおける光の広がりの角度θ３５は、例えば、「２０度≦θ３５≦３０度」程度である。奥行方向Ｙにおいて、光は、直進するか、又は広がりの角度が、角度θ３５よりも十分に小さい。
なお、レンチキュラレンズ３５ａのレンズ形状は、均一である。このため、光は、レンチキュラレンズ３５ａのいずれの部分に入射しても、上記態様で出光する。
【００３８】
図９（Ｅ）から図９（Ｇ）に示すように、これらの作用によって、レンチキュラレンズ板３５から出光する光の光束は、左右方向Ｘに広がり、かつ、奥行方向Ｙに広がらない（又は奥行方向Ｙの広がりが左右方向Ｘの広がりも小さい）。このため、レンチキュラレンズ板３５から出光する光軸Ｃ３５に直交する面の光束の形状は、左右方向Ｘに長い楕円状となり、また、この楕円の長軸は、下側Ｚ１に至る程、長くなる。
また、複数のＬＥＤ３２、複数の集光レンズ３３が左右方向Ｘに配列されている。レンチキュラレンズ板３５は、これらの各集光レンズ３３に対応して設けられており、集光レンズ３３からの光を変化させる複数の領域を備える。
【００３９】
図９（Ｇ）に示すように、このため、複数のＬＥＤ３２の光の光束は、ボード５に平行な帯状の光束Ｌ３５に変化することになる。
これにより、照明装置１は、ＬＥＤ３２の光が前後方向に過剰に広がることを抑制できるので、より多くの光をボード下部に到達させることができる。また、照明装置１は、左右方向Ｘにおける光の強度差を少なくできるので、ボード前面の左右方向Ｘにおける光ムラを少なくできる。
【００４０】
レンチキュラレンズ板３５の拡散面３５ｂは、レンチキュラレンズ板３５から出光する光に対して、以下のように作用する。
拡散面３５ｂは、レンチキュラレンズ板３５から出光する光を拡散する。このため、レンチキュラレンズ板３５から出光する光は、前述した光束よりも、外側に広がる。
なお、光束が外側に広がったとしても、前述した帯状の光束を形成する光の成分は、多く存在するので、照明装置１は、上記作用、効果を十分に奏することができる。また、レンチキュラレンズ板３５の拡散面３５ｂの作用によって、ボード前面の左右方向Ｘにおける光ムラは、より少なくなる。
アクリル板３６の主な機能は、レンチキュラレンズ板３５の保護である。アクリル板３６の光学的作用は、小さいので、その詳細な説明を省略する。
【００４１】
（光吸収部３４）
図８（Ｃ）に示すように、ＬＥＤ３２が発した一部の光は、集光レンズ３３の側面（円錐面）から出光する。つまり、ＬＥＤ３２が発した光は、その全てが集光レンズ３３の底面から発光されるのではなく、その一部が側面から出光する。
照明収容部１３内の乱反射の成分は、主にこの光である。但し、照明収容部１３内における乱反射の現象は、非常に複雑であり、その成分は、他種である。照明収容部１３内の乱反射の成分は、光の他に、例えば、レンチキュラレンズ板３５の拡散面３５ｂによって拡散する成分が存在する。
【００４２】
光吸収部３４は、このような照明収容部１３（レンチキュラレンズ板３５よりも上側Ｚ２の領域）内で乱反射する光を、吸収する。光吸収部３４は、湾曲部３４ａ、板状部３４ｂを有するので、湾曲部３４ａの奥側Ｙ２の側面、板状部３４ｂの下面に到達する光の大部分を吸収する。
【００４３】
図８（Ｂ）に示すように、照明収容部１３の内壁面１３ａは、手前側Ｙ１に至る程、下側Ｚ１に至るように傾斜している。つまり、内壁面１３ａは、ボード５側を向くように傾斜している。また、基部１０は、アルミニウムの押し出し成型品であるので、基部１０の表面は、ある程度の光沢を有する。このため、内壁面１３ａに到達した光Ｌ３４ａは、ボード５に向けて反射してしまう。
【００４４】
湾曲部３４ａは、手前側Ｙ１の内壁面１３ａに沿って設けられているので、光Ｌ３４ａが手前側Ｙ１の内壁面１３ａに到達するのを抑制でき、かつ、光Ｌ３４ａを吸収する。このため、照明収容部１３内で乱反射した光Ｌ３４ａが、ボード５に到達することを抑制できる。湾曲部３４ａは、照明収容部１３内の左右方向Ｘに延在するので、照明収容部１３内の手前側Ｙ１のほぼ全域において、この抑制の作用、効果を奏する。
また、照明収容部１３内で上側Ｚ２に進む一部の光Ｌ３４ｂも、基板３１の下面に到達すると、ボード５に向けて反射する。光吸収部３４の板状部３４ｂは、このような光Ｌ３４ｂがボード５に到達することを、湾曲部３４ａと同様に抑制できる。
【００４５】
（反射壁３７）
反射壁３７は、鉛直面（ＺＸ平面）に平行であり、また、ボード５に向かい合っているので、アクリル板３６を通過した光を、ボード５に向けて反射する作用を奏する。
図８（Ａ）に示すように、反射壁３７によって反射される光の成分のうち大きなものは、以下の２つである。
【００４６】
・集光レンズ３３及びレンチキュラレンズ板３５の作用によって帯状に変化した光束の一部が、拡散面３５ｂによって拡散した光Ｌ３７ａ，Ｌ３７ｂ
これらの光のうち反射壁３７への入射角が大きい光Ｌ３７ａは、ボード５の下部に向けて進む。また、反射壁３７への入射角が小さい光Ｌ３７ｂは、ボード５の上部に向けて進む。
・照明収容部１３内の奥側Ｙ２の内壁面１３ｂで乱反射した光Ｌ３７ｃ
この光Ｌ３７ｃは、反射壁３７への入射角が小さいため、ボード５の上部に向けて進む。
【００４７】
（ボード前面を均一に照光する作用）
照明装置１は、前述した各部材の作用によって、以下のように、ボード前面を均一な輝度で照光できる。
（１）ボード上部（ボード前面の上端から１００〜２００ｍｍ程度の領域）の照光
図１０（Ａ）に示すように、ボード上部は、主に、反射壁３７で反射した光Ｌ３５ｂ，３５ｃ（図８（Ａ）参照）によって照光される。また、ボード上部は、レンチキュラレンズ板３５の拡散面３５ｂによる拡散光によって照光される。
また、ＬＥＤ３２の光軸は、ボード５から離れる方向に傾いており、さらに、ＬＥＤ３２の光は、レンチキュラレンズ板３５及びアクリル板３６の保持レール４１（後述する）によって遮られる。このため、ＬＥＤ３２の光は、ボード上部に対して、直接的には到達しない。また、光の強度は、光源からの距離の二乗に反比例するという性質を有する。そのため、光源であるＬＥＤ３２から距離が近いボード前面の上部は、十分な強度で照光される。
【００４８】
ここで、これらの光の他に、十分な輝度を有する光がボード上部に到達してしまうと、ボード上部の輝度が、ボード下部に比べると、極端に大きくなってしまう。さらに、基部１０は、アルミニウムによって形成されるので、照明収容部１３の内部で乱反射する光の輝度は、大きい。そのため、照明装置１は、光吸収部３４によって、照明収容部１３の手前側Ｙ１に進む光Ｌ３４ａ、上側Ｚ２に進む光Ｌ３４ｂを吸収している。
【００４９】
（２）ボード下部（ボード前面の上端から１０００〜１２００ｍｍ程度の領域）の照光
図１０（Ｂ）に示すように、ボード下部には、ＬＥＤ３２から光が集光レンズ３３及びレンチキュラレンズ板３５の作用によって帯状の光束Ｌ３５に変化することにより、より多くの光が到達する。また、ボード下部には、帯状の光束に変化した一部の光Ｌ３７ａ（図８（ａ）参照）が、拡散面３５ｂで拡散後、反射壁３７で反射することにより到達する。
【００５０】
（３）ボード前面の全体の照光
上記（１）で説明したように、照明装置１は、ボード上部を、輝度が過剰にならないように照光できる。また、上記（２）で説明したように、照明装置１は、ＬＥＤ３２の光を帯状の光束にすることにより、より多くの光をボード下部に到達させることができる。
これによって、照明装置１は、鉛直方向Ｚにおけるボード前面の輝度差を少なくできるので、ボード前面を均一に照光することができ、また、輝度ムラを小さくできる。
実際に試作品で確認したところ、「ボード上部の輝度：ボード下部の輝度」は、従来の照明装置では「１０：１」程度であったのに対して、試作品では「１．４：１」程度であり、大幅に改善された。これにより、実施形態の照明部３０の上記作用、効果を確認できた。
また、左右方向Ｘにおいては、ＬＥＤ３２、集光レンズ３３が、複数配列されているので、左右方向Ｘにおいても、ボード前面を均一に照光することができ、また、輝度ムラを小さくできた。
【００５１】
なお、光軸Ｃ３５の傾きは、例えば、５度と十分に小さい。
図１０（Ａ）に示すように、このため、ボード５がホワイトボードのような筆記ボードであり、ボード５の手前側Ｙ１に筆記者が位置し、筆記者が光源であるＬＥＤ３２を視認可能な状態であっても、筆記者は、眩しさを感じにくい。
また、照明収容部１３の反射壁３７（つまり、基部１０の手前側Ｙ１の壁部）は、ＬＥＤ３２から手前側Ｙ１に直接的に進む光を遮る。反射壁３７が遮る光は、鉛直軸と、ＬＥＤ３２から延びる線とのなす角θ３７が例えば３０度以上で、手前側Ｙ１に進む光である。このため、ボード前面から近距離（例えば、２ｍ程度）に、着座した観察者が位置する状態であっても、観察者は、光源であるＬＥＤ３２を視認することがなく、眩しさを感じにくい。
【００５２】
以上説明したように、本実施形態の照明装置１は、ボード５を均一に照光できる。
なお、照明部３０の構成は、以下のように変形してもよい。
（１）上記説明では、レンチキュラレンズ板３５からの光の光軸は、ボード５から離れる方向である例を示したが、これに限定されない。レンチキュラレンズ板３５からの光の光軸は、例えば、ＬＥＤ３２自体の輝度、レンチキュラレンズ板３５の光学特性、ボード５の輝度差の製品仕様等に応じて、ボード５に近づく方向にしてもよい。
（２）上記説明では、ＬＥＤ３２の光の拡散効果は、レンチキュラレンズ板３５の拡散面３５ｂが奏する例を示したが、これに限定されない。ＬＥＤ３２の光の拡散効果は、例えば、拡散シートを設けたり、アクリル板３６に拡散面３５ｂを設けることにより、奏してもよい。
【００５３】
［光学部材保持部４０］
光学部材保持部４０の構成について説明する。
光学部材保持部４０は、レンチキュラレンズ板３５及びアクリル板３６を支持し、また、これらを左右方向Ｘに移動しないように規制するための部分である。
図１１は、実施形態の照明装置１の右端部であって、右キャップ６０Ｒを取り外した状態を拡大した示す図である。
図１１（Ａ）は、ストッパ４５を取り外した状態を右側Ｘ２から見た図である。
図１１（Ｂ）は、ストッパ４５を取り外した状態を下側Ｚ１から見た図であり、図１１（Ａ）のＢ−Ｂ断面図である。
図１１（Ｃ）は、ストッパ４５を取り付けた状態を右側Ｘ２から見た図である。
図１１（Ｄ）は、ストッパ４５を取り付けた状態を下側Ｚ１から見た図であり、図１１（Ｃ）のＤ−Ｄ断面図である。
図１２は、実施形態の照明装置１の右端部を拡大して示す斜視図である。
図１２（Ａ）は、ストッパ４５の取り付け方法を説明する図である。
図１２（Ｂ）は、ストッパ４５を取り付けた状態を示す図である。
図１３は、実施形態のストッパ４５の単体を説明する図である。
図１３（Ａ）は、ストッパ４５を上側Ｃ２から見た図である。
図１３（Ｂ）は、ストッパ４５を後側Ｂ２から見た図である。
図１３（Ｃ）は、ストッパ４５を右側Ｘ２から見た図である。
図１３（Ｄ）は、ストッパ４５が解除状態にされる態様を説明する図である。
図１３（Ｅ）は、ストッパ４５の斜視図である。
図１３は、ストッパ４５の各方向は、ストッパ４５を基部１０に取り付けた状態における方向を示した。
【００５４】
なお、光学部材保持部４０の説明では、レンチキュラレンズ板３５及びアクリル板３６を組み合せた部材を、適宜、光学部材３５，３６という。また、光学部材３５，３６を基部１０に取り付けた状態において、光学部材３５，３６の表裏面の法線方向を上下方向Ｃ（下側Ｃ１、上側Ｃ２）、光学部材３５，３６の表裏面に平行であり左右方向Ｘに直交する方向を前後方向Ｂ（前側Ｂ１、後側Ｂ２）として説明する。左右方向Ｘ、前後方向Ｂ、上下方向Ｃは、直交座標系である。
【００５５】
以下、主に、照明装置１の右端部の光学部材保持部４０の構成について説明するが、光学部材保持部４０は、左右対称な構成であり、左端部の構成も同様である。
【００５６】
図１１、図１２に示すように、光学部材保持部４０は、レール４１（光学部材支持部、ストッパ支持部）、ストッパ４５を備える。
レール４１は、光学部材３５，３６、ストッパ４５を左右方向Ｘにスライド可能に支持するものである。レール４１は、基部１０に設けられている。レール４１は、左右方向Ｘに細長い形状を有する溝である。
図１１（Ａ）に示すように、レール４１は、基部１０の照明収容部１３の手前側Ｙ１の内壁面１３ａ、奥側Ｙ２の内壁面１３ｂにそれぞれ設けられている。右側Ｘ２から見た状態において、２つのレール４１は、前後方向Ｂにおいてほぼ対称の構成である。このため、レール４１は、光学部材３５，３６をＢＸ平面上に支持できる。
レール４１は、内壁面１３ａ，１３ｂから、それぞれ前後方向Ｂの内側に向けて突出するように設けられた２つのリブ４１ａ，４１ｂによって形成される。なお、奥側Ｙ２かつ下側Ｚ１のリブ４１ａは、前述したように、ＬＥＤ３２の光を遮光するために、他のリブよりも若干大きい。
【００５７】
ストッパ４５は、光学部材３５，３６の左右の両端部にそれぞれ配置されことにより、光学部材３５，３６を左右方向Ｘに移動しないよう規制するための部材である。ストッパ４５は、例えば、基部１０の色彩に対応した色彩である白色、灰色等の脂を射出成型することにより製作できる。
図１３（Ｃ）に示すように、左右方向Ｘから見た状態で、ストッパ４５は、前後方向Ｂにおいて対称の構成である。
図１３に示すように、ストッパ４５は、枠部４６、レール挿入部４７、ロック部４８、目隠し部４９を備える。
枠部４６は、ストッパ４５の本体となる部分である。枠部４６は、枠状に形成されている。つまり、枠部４６は、４つの板状の部分（底板部４６ａ、２つの立壁部４６ｂ、上板部４６ｃ）を、四角形に連結したような形状である。
後述するように、上板部４６ｃの中央部分は、ロック部４８のロック及び解除をするために押圧操作される押圧部４６ｄ（操作部）である。
【００５８】
レール挿入部４７は、レール４１に挿入される部分である。
左右方向Ｘから見た状態で、レール挿入部４７は、枠部４６の下側Ｃ１の２つのコーナ部から、それぞれ前後方向Ｂの外側に突出するように設けられている。レール挿入部４７の外形は、レール４１に対応した形状である。つまり、上下方向Ｃにおいて、レール挿入部４７の大きさと、レール４１の幅とは、同等である。また、前後方向Ｂにおいて、２つのレール４１の外寸と、２つのレール４１の底部間の長さとは、同等である。
【００５９】
ロック部４８は、ストッパ４５をレール４１に対して移動しないようにロックをし、また、このロックを解除するための部分である。
左右方向Ｘから見た状態で、ロック部４８は、枠部４６の上側Ｃ２の２つのコーナ部から前後方向Ｂの外側に突出するように設けられている。また、ロック部４８の断面形状は、先端が下側Ｃ１に折れ曲がるようなＬ字状である。
【００６０】
上記構成によって、枠部４６の立壁部４６ｂの上端は、押圧部４６ｄ及びロック部４８の間に位置する。また、ストッパ４５は、弾性変形可能な樹脂等によって形成されている。
図１３（Ｄ）に示すように、このため、押圧部４６ｄは、下側Ｃ１に押圧されると下側Ｃ１に弾性変形する。これにともない、２つのロック部４８は、枠部４６の立壁部４６ｂの先端を支点４８ｅとして、上側Ｃ２に回転するように弾性変形する。これによって、ロック部４８の先端及びレール挿入部４７間の長さが、大きくなる。
弾性変形する前の状態（図１３（Ｄ）の点線参照）がロック状態であり、弾性変形した状態（図１３（Ｄ）の実線参照）が解除状態である。
ロック部４８の先端及びレール挿入部４７間の長さは、ロック状態ではリブ４１ｂの厚さよりも小さく、解除状態ではリブ４１ｂの厚さよりも大きい。
【００６１】
ロック部４８は、位置決め突起４８ａを備える。
位置決め突起４８ａは、後述するように、ストッパ４５の取り付け時の作業性を向上するための突起である。位置決め突起４８ａは、ストッパ４５の先端から左右内側に突出するように設けられている。
【００６２】
目隠し部４９は、枠部４６の底板部４６ａから左右内側に突出するように設けられた、つば状の部分である。前後方向Ｂにおいて、目隠し部４９の長さＬ４９と、２つのリブ４１ａ間の先端間の長さＬ４１ａ（図１１（Ａ）参照）とは、同等である。目隠し部４９の下面は、アクリル板３６の表面と同様な程度に、鏡面加工されている。
【００６３】
（光学部材３５，３６、ストッパ４５の取り付け）
作業者は、右側Ｘ２の光学部材保持部４０において、以下の手順に従って光学部材３５，３６、ストッパ４５を基部１０に取り付けることができる。
（１）図１１（Ａ）に示すように、光学部材３５，３６をレール４１に挿入する。
（２）図１２（Ａ）に示すように、ストッパ４５を基部１０に取り付けるために、ストッパ４５を基部１０に対して、大まかな位置合わせをする。この作業は、ストッパ４５の位置決め突起４８ａを、基部１０のリブ４１ｂの上側Ｚ２に乗せればよいので、作業性がよい。
【００６４】
（３）ストッパ４５の押圧部４６ｄを押圧することにより、ロック部４８を解除状態にする。
（４）図１２（Ｂ）ストッパ４５のレール挿入部４７をレール４１に挿入し、ストッパ４５を左右内側にスライドする。
この場合、ロック部４８が解除状態にされているので、ロック部４８の先端及びレール挿入部４７間の長さは、リブ４１ｂの厚さよりも大きい。このため、ストッパ４５は、レール４１によって左右方向Ｘによってガイドされて、左右内側にスライドできる。
【００６５】
（５）ストッパ４５の枠部４６が光学部材３５，３６の左右端部に当接したら、押圧部４６ｄを押圧することを止める。ロック部４８は、解除状態からロック状態に変化する。なお、図１１（Ｄ）には、ストッパ４５の枠部４６及び光学部材３５，３６間に、若干の隙間ｄ３５，ｄ３６を有する状態を図示した。
ロック状態では、ロック部４８の先端及びレール挿入部４７間の長さは、リブ４１ｂの厚さよりも小さい。このため、ストッパ４５は、リブ４１ｂに対して圧着した状態となり、左右方向Ｘに移動しないようにロックされる。
【００６６】
なお、レンチキュラレンズ板３５の端部は、レンチキュラレンズ板３５が表裏逆に取り付けられることを抑制するために、凹凸形状になっている（図６参照）。図１１（Ｄ）は、右端部に、レンチキュラレンズ板３５の端部の凸部が配置された例である。
【００６７】
以上により、光学部材３５，３６、ストッパ４５は、基部１０に取り付けられる。
作業者は、左側Ｘ１の光学部材保持部４０においても、同様に、ストッパ４５を基部１０に取り付けることができる。
なお、前後方向Ｂにおいて、ストッパ４５及びレール４１は、それぞれ対称の形状である。このため、左側Ｘ１の光学部材保持部４０においては、右側Ｘ２の光学部材保持部４０と同一形状のストッパ４５を、左右方向Ｘにおいて反転させることにより、取り付けできる。これにより、照明装置１は、左右のストッパ４５を、共通の部品にすることができる。
【００６８】
ストッパ４５を取り外す場合には、押圧部４６ｄを押圧することにより、ロック部４８を解除状態にし、つまり、ロック部４８のレール４１への圧着を解除し、ストッパ４５をレール４１から引き抜けばよい。
取り外したストッパ４５は、再利用できる。また、ストッパ４５は、ロック部４８でロック及びその解除をできるので、圧入する形態とは異なり、擦れ粉が発生しない。このため、照明装置１の保守時における作業性を向上できる。
【００６９】
（ストッパ４５を取り付けた状態の作用）
図１１（Ｄ）に示すように、ストッパ４５が基部１０に取けられた状態では、つまり、枠部４６が光学部材３５，３６の端部に当接した状態で、目隠し部４９は、光学部材３５，３６の底面の端部に配置される。前述したように、前後方向Ｂにおいて、目隠し部４９の長さＬ４９（図１３（Ａ）参照）、２つのリブ４１ａの先端間の長さＬ４１ａ（図１１（Ａ）参照）とは、同等である。これにより、目隠し部４９は、枠部４６及び光学部材３５，３６間の隙間ｄ３５，ｄ３６を覆うことができる。このため、目隠し部４９は、照明装置１の内部を外部から視認できないように目隠しできる。さらに、目隠し部４９の下面は、アクリル板３６と同様な程度に、鏡面加工されている。
これにより、照明装置１は、外観の品質を向上できる。
【００７０】
ここで、ストッパ４５は、ロック状態であっても、大きな力が働くことにより、左右方向Ｘの外側に移動してしまう場合がある。この場合には、ストッパ４５が右キャップ６０Ｒ（図３参照）に当接することにより、図１１（Ｄ）に示すように、ストッパ４５の端部と、基部１０の端部とが、一致した状態となる。なお、組み立て時において、ストッパ４５を右キャップ６０Ｒに当接させる仕様にしてもよい。
この状態であっても、左右方向Ｘにおいて、ストッパ４５の目隠し部４９は、光学部材３５，３６を覆う程度の長さを有しており、上記作用、効果を奏する。
また、左右方向Ｘにおいて、ストッパ４５及び光学部材３５，３６の間には、隙間ｄ３５，ｄ３６が形成されるが、この隙間ｄ３５，ｄ３６は、十分に小さい。このため、光学部材３５，３６の遊びは、十分に小さい。つまり、光学部材３５，３６は、左右両端部を２つのストッパ４５に挟まれた状態であるので、左右方向Ｘに移動した場合にはストッパ４５に当接することにより、これ以上移動しないように規制される。
これにより、ストッパ４５は、光学部材３５，３６を左右方向Ｘに移動しないように規制できる。
なお、このような隙間ｄ３５，ｄ３６を設ける理由は、ＬＥＤ３２の発熱にともなう光学部材３５，３６の膨張、収縮、製造誤差等を考慮したためである。
【００７１】
以上説明したように、本実施形態の照明装置１の光学部材保持部４０は、ストッパ４５を備えるので、光学部材３５，３６の遊びを小さくして取り付けできる。また、ストッパ４５は、押圧部４６ｄを押圧操作することにより、基部１０に容易に着脱できる。
【００７２】
なお、光学部材保持部４０の構成は、以下のように変形してもよい。
（１）上記説明では、レール４１は、光学部材３５，３６の支持、ストッパ４５の支持を兼用する例を示したが、これに限定されない。光学部材保持部４０は、光学部材３５，３６の支持、ストッパ４５の支持のために、別々のレール４１を備えていてもよい。
（２）上記説明では、光学部材保持部４０は、２つのストッパ４５を備える例を示したが、これに限定されない。光学部材保持部４０は、１つのストッパ４５を備えていてもよい。この場合には、光学部材３５，３６は、ストッパ４５が設けられていない側の端部を、例えば、右キャップ６０Ｒ等に当接させればよい。
【００７３】
［右側部５０Ｒ、左側部５０Ｌ］
図１（Ｂ）、図１（Ｃ）に示すように、右側部５０Ｒ、左側部５０Ｌは、それぞれ照明装置１の右側Ｘ２の側部、左側Ｘ１の側部を形成する部分である。
図１４は、実施形態の右端部の構成部品の分解斜視図である。
図１４（Ａ）は、右側Ｘ２から見た斜視図である。
図１４（Ｂ）は、左側Ｘ１から見た斜視図である。図１４（Ｂ）は、右キャップ６０Ｒ、カバー部７０のみを図示した。
図１５は、実施形態の右キャップ６０Ｒ単体を示す図である。
図１５（Ａ）は、右キャップ６０Ｒ単体を左側Ｘ１から見た図である。
図１５（Ｂ）、図１５（Ｃ）は、右キャップ６０Ｒ単体の横断面図（図１５（Ａ）、図１５（Ｅ）のＢ−Ｂ断面図、Ｃ−Ｃ断面図）である。
図１５（Ｄ）は、右キャップ６０Ｒ単体を上側Ｚ２から見た図である。
図１５（Ｅ）は、右キャップ６０Ｒ単体を右側Ｘ２から見た図である。
図１６は、実施形態の内カバー７１単体を示すである。
図１６（Ａ）は、内カバー７１単体を左側Ｘ１から見た図である。
なお、図１６（Ａ）の２点鎖線内は、内カバー７１の後部７１ｃ、分離片７１ｂを分離した状態を示す。
図１６（Ｂ）は、内カバー７１単体を上側Ｚ２から見た図である。
図１６（Ｃ）は、内カバー７１単体を右側Ｘ２から見た図である。
図１６（Ｄ）は、内カバー７１単体を手前側Ｙ１から見た図である。
図１６（Ｅ）は、内カバー７１単体を奥側Ｙ２から見た図である。
図１７は、実施形態の右側部５０ＲにおいてＡＣケーブル２７を配置する構造を説明する模式図である。
図１７（Ａ）は、切り欠き６９を通る横断面図（図１７（Ｃ）、図１７（Ｄ）のＡ−Ａ断面図に相当する図）である。
図１７（Ｂ）は、内突起７１ｈ等を通る横断面図（図１７（Ｃ）、図１７（Ｄ）のＢ−Ｂ断面図に相当する図）である。
図１７（Ｃ）は、右側Ｘ２から見た状態における基部１０の開口縁部１０ａ、上蓋１９の開口縁部１９ａ、右キャップ６０Ｒの傾斜部６５ｅ、内カバー７１のリブ７１ｄ等の配置を説明する図である。
図１７（Ｄ）は、右側Ｘ２から見た状態における連結部６５、内突起７１ｈ等の配置を説明する図である。
【００７４】
（右側部５０Ｒ）
右側部５０Ｒの構成を説明する。
図１４に示すように、右側部５０Ｒは、右キャップ６０Ｒ（側板部）、カバー部７０（ケーブルカバー）を備える。
（右キャップ６０Ｒ）
図１４、図１５に示すように、右キャップ６０Ｒは、照明装置１の右側部５０Ｒを構成する主要な部品である。右キャップ６０Ｒの形状は、鉛直面（ＹＺ平面）に平行なほぼ平板状である。また、右キャップ６０Ｒの構成のうち、ＡＣケーブル２７及びカバー部７０に関連する部分は、鉛直方向Ｚにおいて対称である（つまり、鉛直方向Ｚに直交するＸＹ平面を対称面として面対称である）。
右キャップ６０Ｒは、例えば、樹脂を射出成型することにより製作できる。
右側Ｘ２から見た状態で、右キャップ６０Ｒは、基部１０及び上蓋１９によって形成された右側Ｘ２の開口部に対応した形状である（図１４参照）。つまり、右キャップ６０Ｒは、奥行方向Ｙに細長い板状の部材である。
【００７５】
図１４、図１５に示すように、右キャップ６０Ｒは、前半板６１、後半板６２、連結部６５、係合溝６６、取り付け穴６７、切り欠き６９を備える、
前半板６１、後半板６２は、それぞれ右キャップ６０Ｒの手前側Ｙ１、奥側Ｙ２を構成する板状の部材である。
【００７６】
後半板６２は、分離溝５０ｂで分離することにより、さらに後部６２ｃを分離できる。
分離溝５０ｂは、後半板６２の裏面（左右内側の面）に設けられている。分離溝５０ｂは、後半板６２の肉厚を部分的に薄くして形成される。このため、作業者は、後部６２ｃを、工具等を用いずに、手で容易に分離できる。なお、他の分離溝５０ｂも、同様に、各部材の肉厚を部分的に薄く形成されており、各部材を分離溝５０ｂで容易に分離できる。
【００７７】
後半板６２は、分離片６２ｂを備える。
分離片６２ｂは、後半板６２の奥側辺部の一部を、分離溝５０ｂで囲うことにより、分離可能にした部分である。分離片６２ｂは、ほぼ四角形の形状である。後半板６２のうち分離片６２ｂを分離した部分は、切り欠きが形成される。後述するように、設置環境に応じて、ＡＣケーブル２７は、この切り欠きを通すことにより、照明装置１の内外を通すことができる（図２２参照）。
【００７８】
図１５に示すように、連結部６５は、前半板６１及び後半板６２間を連結する部分である。
連結部６５は、前半板６１の裏面側及び後半板６２の裏面側で、両者を接続する。鉛直方向Ｚにおいて、連結部６５は、対称の形状である。
連結部６５は、中央部６５ａ、傾斜部６５ｅを備える。
中央部６５ａは、連結部６５の中央部分を形成する。
図１５（Ｂ）に示すように、中央部６５ａの断面形状は、前半板６１の裏面から左右内側に突出する突出部６５ｂと、突出部６５ｂの先端から奥側Ｙ２に延びる延設部６５ｃとが接続されたＬ字状である。
【００７９】
傾斜部６５ｅは、延設部６５ｃの先端（奥側先端）と、後半板６２の先端（手前側先端）とを接続する部分である。
図１５（Ｂ）に示すように、傾斜部６５ｅは、手前側Ｙ１に至る程、左側Ｘ１（つまり、照明装置１の内側）に至るように傾斜している。
図１５（Ａ）、図１５（Ｅ）に示すように、左右方向Ｘから見た状態で、鉛直方向Ｚにおいて、傾斜部６５ｅの長さは、中央部６５ａよりも大きく、かつ、右キャップ６０Ｒの外形よりも小さい。
傾斜部６５ｅの右側Ｘ２の面は、傾斜部６５ｅの形状に対応して傾斜しており、つまり、手前側Ｙ１に至る程、左側Ｘ１に至るように傾斜した傾斜面６５ｆである。
傾斜部６５ｅは、押圧突起６５ｇ（押圧部）を備える。
押圧突起６５ｇは、ＡＣケーブル２７を押圧するために設けられた高さが低い突起である。
押圧突起６５ｇは、傾斜面６５ｆのうち奥側Ｙ２の範囲に設けられている。
【００８０】
鉛直方向Ｚにおいて、傾斜面６５ｆのうち中央部６５ａよりも上側Ｚ２の大きさ（図１５（Ｅ）に示す鉛直方向Ｚの長さＬ６５ｆ参照）は、ＡＣケーブル２７の直径と同等である。傾斜面６５ｆのうち中央部６５ａよりも下側Ｚ１の大きさについても、同様である。
【００８１】
係合溝６６は、後半板６２の右側面を窪ませるように設けられた溝である。
図１５（Ｅ）に示すように、係合溝６６は、左右方向Ｘから見た状態で、鉛直方向Ｚの位置関係において、２つの切り欠き６９の間に配置されている。係合溝６６の形状は、奥行方向Ｙに細長い。係合溝６６の手前側Ｙ１は、傾斜面６５ｆに連続している。
取り付け穴６７は、右キャップ６０Ｒを基部１０に固定するための穴である。取り付け穴６７は、５つ設けられている。取り付け穴６７の１つは、係合溝６６の底部に設けられている（図１５（Ｂ）参照）。
【００８２】
切り欠き６９は、前半板６１、後半板６２、連結部６５の上記構成によって形成される。
すなわち、鉛直方向Ｚにおいて、連結部６５の中央部６５ａは、前半板６１、後半板６２よりも小さい。また、連結部６５の傾斜部６５ｅは、傾斜している。前半板６１、後半板６２の間に、連結部６５の中央部６５ａ、傾斜部６５ｅが位置することにより、前半板６１及び後半板６２を備える右キャップ６０Ｒの上辺部及び下辺部（側板部の向かい合う辺部）は、それぞれ内側（左右方向Ｘの内側、鉛直方向Ｚの内側）に切り欠いた穴部が形成される。
なお、鉛直方向Ｚに関係において、２つの切り欠き６９は、それぞれ右キャップ６０Ｒの上下辺から内側に切り欠くように形成される。このため、鉛直方向Ｚは、切り欠き６９の切り欠き方向である。
【００８３】
（カバー部７０）
図１４に示すように、カバー部７０は、右キャップ６０Ｒの右側面に装着される。
これにより、カバー部７０は、２つの切り欠き６９を覆うように、右キャップ６０Ｒに装着される。
カバー部７０は、内カバー７１、外カバー７５備える。
内カバー７１、外カバー７５は、それぞれ、例えば、樹脂を射出成型することにより製作できる。内カバー７１、外カバー７５の形状は、左側Ｘ１に開口した箱状である。内カバー７１、外カバー７５の形状は、それぞれ鉛直方向Ｚにおいて対称である。
内カバー７１は、右キャップ６０Ｒの右側Ｘ２に直接装着される。外カバー７５は、内カバー７１を左右外側から覆うように装着される。
内カバー７１の手前側Ｙ１の壁部は、傾斜面６５ｆに平行な傾斜壁７２である。内カバー７１は、右キャップ６０Ｒと同様な分離溝５０ｂで分離することによって、後部７１ｃを分離できる。
【００８４】
図１６に示すように、内カバー７１は、分離片７１ｂ、リブ７１ｄ（ケーブル規制部、外突起）、押圧穴７１ｇ、内突起７１ｈ（ケーブル規制部）、取り付け穴７１ｊを備える。
分離片７１ｂは、内カバー７１の上下及び奥側Ｙ２の３つの壁部を複数に分割したものである。つまり、複数の分離片７１ｂは、内カバー７１の上側Ｚ２、下側Ｚ１、奥側Ｙ２の壁部を形成する。上側Ｚ２及び下側Ｚ１の壁部には、それぞれ、４つの分離片７１ｂが配置されている。奥側Ｙ２の壁部には、２つの分離片７１ｂが配置されている。
各分離片７１ｂの形状は、四角形の板状である。分離片７１ｂの根元には、分離溝５０ｂが設けられている。このため、各分離片７１ｂは、分離溝５０ｂで、内カバー７１から分離できる。
右キャップ６０Ｒの分離片６２ｂと同様に、内カバー７１のうち各分離片７１ｂを分離した部分には、切り欠きが形成され（図１４参照）、ＡＣケーブル２７をこの切り欠きに通すことができる。
【００８５】
押圧穴７１ｇは、その縁部でＡＣケーブル２７を押圧するための穴である。押圧穴７１ｇは、傾斜壁７２に２つ設けられている。
図１７（Ａ）に示すように、内カバー７１が右キャップ６０Ｒに装着された状態を鉛直方向Ｚから見た状態で、押圧穴７１ｇは、押圧突起６５ｇの右側Ｘ２に位置する。
【００８６】
リブ７１ｄ、内突起７１ｈは、後述するように、ＡＣケーブル２７を切り欠き６９の切り欠き方向の外側、内側に移動しないように規制することにより、ＡＣケーブル２７を押圧突起６５ｇ上に配置する。
リブ７１ｄは、傾斜壁７２の内面から左側Ｘ１（左右内側）に突出するように設けられている。リブ７１ｄの形状は、水平面（ＸＹ平面）に平行な平板状である。リブ７１ｄは、傾斜壁７２の上側Ｚ２、下側Ｚ１にそれぞれ設けられている。
図１７（Ｃ）に示すように、内カバー７１が右キャップ６０Ｒに装着された状態において、リブ７１ｄは、右キャップ６０Ｒの切り欠き６９内であって、鉛直方向Ｚの外側（下側Ｚ１、上側Ｚ２）の範囲に挿入される。鉛直方向Ｚにおいて、リブ７１ｄの内面と傾斜部６５ｅの外面との隙間は、ほとんどなく、また、両者は、当接する程度に近接している。
図１７（Ｂ）に示すように、左右方向Ｘにおいて、リブ７１ｄの高さは、連結部６５の内側面よりも、さらに左右内側に位置する程度に高い。
【００８７】
図１６に示すように、内突起７１ｈは、天部（右側Ｘ２の板部）及び傾斜壁７２の内面から、左右内側に突出するように設けられている。
図１６（Ａ）に示すように、左右方向Ｘから見た状態で、内突起７１ｈは、内カバー７１の中央に位置する。内突起７１ｈは、奥行方向Ｙに平行である。
図１７（Ｂ）に示すように、内カバー７１が右キャップ６０Ｒに装着された状態において、内突起７１ｈの先端は、右キャップ６０Ｒの係合溝６６に挿入される。これにより、内突起７１ｈ及び係合溝６６間が、係合する。
【００８８】
図１６に示すように、取り付け穴７１ｊは、内カバー７１を固定するための穴である。取り付け穴７１ｊは、内突起７１ｈの後端（奥側Ｙ２の端部）を左右方向Ｘに貫通する。
【００８９】
図１４に示すように、外カバー７５は、内カバー７１を覆うので、外カバー７５の形状は、内カバー７１よりも若干大きい箱状である。また、外カバー７５は、内カバー７１と同様に、後部７５ｃを分離溝５０ｂで分離できる。
外カバー７５は、ケーブル穴７５ｂ、取り付け穴７１ｊを備える。
ケーブル穴７５ｂは、切り欠き状の穴である。
ケーブル穴７５ｂは、複数設けられており、内カバー７１の分離片７１ｂに対応した位置に配置されている。外カバー７５が内カバー７１に重ねて取り付けられた状態において、ケーブル穴７５ｂの内側部は、内カバー７１の分離片７１ｂの半円状の突起の周囲を囲う（図１（Ｂ）参照）。これにより、照明装置１が設置された状態において、外力等が分離片７１ｂに加わっても、分離片７１ｂは、分離してしまうことを抑制できる。
取り付け穴７５ｊは、外カバー７５を固定するための穴である。
【００９０】
（右側部５０Ｒの取り付け手順）
右側部５０Ｒを照明装置１（つまり基部１０及び上蓋１９）に取り付ける手順を説明する。
作業者は、以下の手順に従って、右側部５０Ｒを照明装置１に取り付けることができる。
なお、以下の手順は、照明装置１に対して、右側Ｘ２からＡＣケーブル２７を接続する例、つまり図４（Ｂ）に示す右入線の例である。
（１）図１４に示すように、ＡＣケーブル２７を右キャップ６０Ｒの切り欠き６９に通す。
この場合、作業者は、２つの切り欠き６９のうち１つに対して、ＡＣケーブル２７を通せばよい。図１４の例は、ＡＣケーブル２７を上側Ｚ２の切り欠き６９に通した例であるが、ＡＣケーブル２７を下側Ｚ１の切り欠き６９に通した場合にも、同様に作業をすればよい。
なお、ＡＣケーブル２７を２つ接続したい場合等は、２つの切り欠き６９の両方に、ＡＣケーブル２７を通すことができる。
【００９１】
このＡＣケーブル２７を通す作業は、貫通穴にＡＣケーブル２７を通す形態よりも、作業性がよい。すなわち、ＡＣケーブル２７を切り欠き６９の鉛直方向Ｚの外側から入れればよいので、ＡＣケーブル２７が長くても容易に通すことができる。また、ＡＣケーブル２７の先端のコネクタの外形が切り欠き６９よりも大きくても、ＡＣケーブル２７を切り欠き６９に通すことができる。
【００９２】
（２）右キャップ６０Ｒを、取り付け穴６７を用いて基部１０にネジ固定する。
この場合、基部１０の固定穴１０ｊと、前述した溝部１２ａ，１６ｄとを、下穴として用いて、タッピングネジを用いることができる。
（３）内カバー７１の分離片７１ｂを分離する。
この場合、作業者は、設置環境に応じて、ＡＣケーブル２７を導出したい部分に対応した分離片７１ｂを分離すればよい。設置環境とは、設置施設におけるＡＣ差し込み口の位置等である。例えば、ＡＣ差し込み口が、ボード５よりも上側Ｚ２に位置する場合には、上側Ｚ２の４つの分離片７１ｂのうち１つを分離すればよい。
【００９３】
（３）内カバー７１を右キャップ６０Ｒに装着する。
この場合、作業者は、以下を満たすように作業する。
・内カバー７１の２つのリブ７１ｄを、右キャップ６０Ｒの２つの切り欠き６９にそれぞれ挿入する。かつ、内カバー７１の２つのリブ７１ｄを、基部１０の開口縁部１０ａ及び上蓋１９の開口縁部１９ａ（図１４（Ａ）参照）の内側に挿入する。
・また、内カバー７１の内突起７１ｈを右キャップ６０Ｒの係合溝６６に挿入する。
・ＡＣケーブル２７を、内カバー７１のリブ７１ｄ及び内突起７１ｈの内側に配置する。
・ＡＣケーブル２７を、内カバー７１の分離片７１ｂを分離することにより形成された切り欠き６９に通す。
【００９４】
（４）外カバー７５を内カバー７１にかぶせた状態で、取り付け穴７１ｊ，７５ｊを用いて、基部１０に対してネジで共締めする。
以上により、右側部５０Ｒを照明装置１に取り付けることができる。
【００９５】
（右側部５０ＲがＡＣケーブル２７を押さえる構成）
右側部５０Ｒを照明装置１に取り付けた状態において、右側部５０ＲがＡＣケーブル２７を押さえる構成について、詳細に説明する。
（ＡＣケーブル２７の長さ方向の押さえ）
図１７（Ａ）に示すように、上側Ｚ２から見た状態で、ＡＣケーブル２７は、右キャップ６０Ｒの傾斜面６５ｆの押圧突起６５ｇによって、内カバー７１の押圧穴７１ｇの方向に押圧される。このため、押圧突起６５ｇ及び押圧穴７１ｇの縁部は、ＡＣケーブル２７の被覆に食い込む。これにより、ＡＣケーブル２７は、ＡＣケーブル２７の長さ方向に移動しないように規制され、つまり、抜け止めされる。
【００９６】
（ＡＣケーブル２７の鉛直方向Ｚにおける押さえ）
図１７（Ｂ）、図１７（Ｄ）に示すように、鉛直方向Ｚにおいて、２つの切り欠き６９の間には、右キャップ６０Ｒの中央部６５ａ及び内カバー７１の内突起７１ｈが位置する。また、内カバー７１の内突起７１ｈは、右キャップ６０Ｒの係合溝６６に挿入されているので、鉛直方向Ｚに倒れにくく、十分な強度を有する。
図１７（Ｃ）に示すように、右側Ｘ２から見た状態で、内カバー７１の上側Ｚ２のリブ７１ｄは、上蓋１９の開口縁部１９ａと、右キャップ６０Ｒの傾斜部６５ｅとの間に挟まれる。また、下側Ｚ１のリブ７１ｄは、基部１０の開口縁部１０ａと、右キャップ６０Ｒの傾斜部６５ｅとの間に挟まれる。このため、２つのリブ７１ｄは、高さ（左右方向Ｘの長さ）が大きくても、鉛直方向Ｚに倒れにくく、十分な強度を有する。
【００９７】
図１７（Ｄ）に示すように、上記構成によって、鉛直方向Ｚにおいて、ＡＣケーブル２７は、リブ７１ｄと、右キャップ６０Ｒの中央部６５ａ及び内カバー７１の内突起７１ｈとの間に配置される。これにより、ＡＣケーブル２７は、鉛直方向Ｚに移動しないように規制される。また、リブ７１ｄ、中央部６５ａ、内突起７１ｈは、十分な強度を有し、かつ、内突起７１ｈは、ＡＣケーブル２７が照明装置１の内部から外部に導出される側に配置される。このため、これらの部材は、ＡＣケーブル２７に対して鉛直方向Ｚに強い力がかかっても、ＡＣケーブル２７を確実に押圧突起６５ｇ上に配置できる。
なお、内カバー７１を右キャップ６０Ｒに装着する場合の作業時（上記（３）、（４）参照）においても、同様な作用、効果を奏する。これにより、内カバー７１、外カバー７５を取り付け時に、押圧突起６５ｇ、押圧穴７１ｇの縁部は、切り欠き６９内に配置されたＡＣケーブル２７を、押圧することができる。
なお、右側部５０ＲのうちＡＣケーブル２７及びカバー部７０に関連する構成は、鉛直方向Ｚにおいて対称であるので、下側Ｚ１のＡＣケーブル２７を通した場合にも、同様に、ＡＣケーブル２７を押さえることができる。
【００９８】
（ＡＣケーブル２７を傾斜して配置する構成）
図１７（Ａ）に示すように、ＡＣケーブル２７は、右キャップ６０Ｒの傾斜部６５ｅ及び内カバー７１の傾斜壁７２の間に配置されるので、これらの部材の傾斜に対応して、手前側Ｙ１に至る程、左右内側に至るように傾斜している。このため、ＡＣケーブル２７のうち、切り欠き６９から導出された直後の部分は、緩やかに湾曲する。これにより、ＡＣケーブル２７は、大きなストレスがかからないので、損傷、断線等を抑制できる。
すなわち、左右方向Ｘに平行に配置されたＡＣケーブル２７を、ケーブル出口で、実施形態とは異なりほぼ直角に折り曲げる形態では、ＡＣケーブル２７に大きなストレスがかかるので、損傷、断線等をする場合がある。
【００９９】
また、デザイン面では、照明装置１は、内カバー７１の手前側Ｙ１の壁部を傾斜できるので、看者に対して、内カバー７１等の厚さを感じさせにくい（図１（Ｂ）参照）。このため、照明装置１は、右側面をすっきりとしたデザインにすることができるので、見た目がよい。
【０１００】
（左側部５０Ｌ）
図１８は、実施形態の左端部の構成部品の分解斜視図である。
図１８（Ａ）は、左側Ｘ１から見た斜視図である。
図１８（Ｂ）は、右側Ｘ２から見た斜視図である。図１８（Ｂ）は、左キャップ６０Ｌのみを図示した。
図１８に示すように、左側部５０Ｌは、左キャップ６０Ｌ（側板部）、切り欠きキャップ７８を備える。
左キャップ６０Ｌは、右キャップ６０Ｒと同様に、前半板６１、後半板６２、連結部６５、係合溝６６、取り付け穴６７、切り欠き６９等を備える。
図１４、図１８に示すように、右キャップ６０Ｒ、左キャップ６０Ｌは、左右方向Ｘにおいて対称の構成である（つまり、左右方向Ｘに直交するＹＺ平面を対称面として面対称である）。左キャップ６０Ｌの詳細な説明は、省略する。
【０１０１】
上記構成により、左キャップ６０Ｌの構成のうち、ＡＣケーブル２７及びカバー部７０に関連する部分も、右キャップ６０Ｒと同様に、鉛直方向Ｚにおいて対称である。
このため、右キャップ６０ＲのＡＣケーブル２７及びカバー部７０に関連する部分と、左キャップ６０ＬのＡＣケーブル２７及びカバー部７０に関連する部分とは、左右方向Ｘにおいて対称の構成である。また、奥行方向Ｙから見た状態で、奥行方向Ｙの軸を対称点として点対称である。
これにより、両者は、右側部５０Ｒのカバー部７０（内カバー７１、外カバー７５）は、左キャップ６０Ｌにも取り付けることができる。また、カバー部７０を左キャップ６０Ｌに取り付けた場合には、左側部５０Ｌは、右側部５０Ｒと同様に、ＡＣケーブル２７を押さえることができる。
【０１０２】
図１８（Ａ）に示すように、切り欠きキャップ７８は、切り欠き６９に蓋をするためのキャップである。
左右方向Ｘから見た状態で、切り欠きキャップ７８の形状は、鉛直方向Ｚにおいて対称である。
切り欠きキャップ７８は、本体７８ａ、リブ７８ｄ、凸部７８ｈ、爪７８ｉを備える。
本体７８ａは、切り欠き６９の開口部にちょうど嵌まるような、四角形の板状の部材である。
リブ７８ｄは、内カバー７１のリブ７１ｄと同様な形状であり、２つ設けられている。
凸部７８ｈは、本体７８ａから奥側Ｙ２に突出している。凸部７８ｈの形状は、左キャップ６０Ｌの係合溝６６にちょうど嵌まるような板状の部分である。凸部７８ｈの厚さと、係合溝６６の深さとは、同等である。
【０１０３】
爪７８ｉは、本体７８ａの４つのコーナ部近傍に設けられ、合計４つ設けられている。爪７８ｉは、切り欠き６９の開口縁部に引っ掛かることによって、切り欠きキャップ７８を左キャップ６０Ｌに取り付けることができる。
前述したように、右キャップ６０Ｒ、左キャップ６０Ｌは、対称の構成であるため、切り欠きキャップ７８は、右キャップ６０Ｒの切り欠き６９の開口部にも取り付けることができる。
【０１０４】
（左側部５０Ｌの取り付け手順）
左キャップ６０Ｌは、右キャップ６０Ｒと同様に、基部１０にネジ固定すればよい（上記（２）参照）。
そして、切り欠きキャップ７８を、左キャップ６０Ｌの切り欠き６９の開口部に取り付ければよい。
【０１０５】
（左側部５０Ｌを取り付けた状態の構成）
切り欠きキャップ７８の本体７８ａは、切り欠き６９の開口部にちょうど嵌まる形状であり、また、凸部７８ｈは、左キャップ６０Ｌの係合溝６６にちょうど嵌まるような形状である。そのため、左キャップ６０Ｌの切り欠き６９及び係合溝６６は、切り欠きキャップ７８によって蓋をされた形態になる。
図１（Ｃ）に示すように、このため、切り欠きキャップ７８を左キャップ６０Ｌに取り付けた状態では、左側部５０Ｌの表面は、フラットになる。これにより、照明装置１の右側面を、すっきりとしたデザインにすることができるので、見た目がよい。
【０１０６】
（右側部５０Ｒの後部６２ｃ，７１ｃ，７５ｃ、左側部５０Ｌの後部６２ｃ，７１ｃ，７５ｃを分離した照明装置１のボード５への取り付け）
図１９は、実施形態の右側部５０Ｒの後部６２ｃ，７１ｃ，７５ｃ、左側部５０Ｌの後部６２ｃを分離した照明装置１を、ボード５に取り付けた状態の斜視図である。
図１９（Ａ）は、右側部５０Ｒ近傍を拡大した図である。
図１９（Ｂ）は、左側部５０Ｌ近傍を拡大した図である。
右側部５０Ｒの後部６２ｃ，７１ｃ，７５ｃを分離する場合には、上記工程において、右キャップ６０Ｒ、内カバー７１、外カバー７５の後部６２ｃ，７１ｃ，７５ｃを分離溝５０ｂで分離すればよい。
同様に、左側部５０Ｌの後部を分離する場合には、上記工程において、左キャップ６０Ｌの後部６２ｃを分離溝５０ｂで分離すればよい。
図１９に示すように、そして、右側部５０Ｒ及び左側部５０Ｌを、照明装置１をボード５に取り付ければよい。なお、図１９は、右側部５０Ｒの後部及び左側部５０Ｌの後部の両方を分離した例を示すが、これらのうち少なくとも１つを分離してもよい。
これにより、照明装置１は、ボード５の左右方向Ｘの長さに関わらず、ボード５に取り付けできる。
【０１０７】
なお、上記説明では、右入線の例を説明したが、左入線の場合には、右入線の場合と同様に、ＡＣケーブル２７を左キャップ６０Ｌに通した後に、カバー部７０を左キャップ６０Ｌに取り付ければよい。また、この場合には、切り欠きキャップ７８を右キャップ６０Ｒに取り付ければよい。
カバー部７０、切り欠きキャップ７８は、右キャップ６０Ｒ、左キャップ６０Ｌの両方に取り付け可能である。このため、照明装置１は、右入線、左入線の専用の部品を用意することなく、左右の両入線に対応することができる。
【０１０８】
以上説明したように、本実施形態の照明装置１は、ＡＣケーブル２７を照明装置の１の内外に通す作業性がよく、また、部品を増やすことなく右入線、左入線を選択して取り付けることができる。
【０１０９】
［照明ユニット１００］
前述した照明装置１は、左右方向Ｘに複数連結することにより、照明ユニット１００として利用することができる。
以下、３つの照明装置１Ａ，１Ｂ，１Ｃを連結した例を説明する。
図２０は、実施形態の照明ユニット１００を示す図である。
図２０（Ａ）は、右入線の例である。
図２０（Ｂ）は、左入線の例である。
前述したように、配電部２０のケーブル２２は、延ばした状態で、コネクタ２２ａ側が基部１０の外側にはみ出る程度の長さを有する。
図２０（Ａ）に示すように、ケーブル２２の長さは、隣りに配置された照明装置１の分配器兼用コネクタ２４に接続可能な長さである。
このため、照明装置１Ａのケーブル２２は、照明装置１Ｂの分配器兼用コネクタ２４に接続できる。また、照明装置１Ｂのケーブル２２は、照明装置１Ｃの分配器兼用コネクタ２４に接続できる。これにより、照明ユニット１００は、右端に配置された照明装置１Ａに接続されたＡＣケーブル２７からの電力を、照明装置１Ａ，１Ｂ，１Ｃの全てに供給できる。
図２０（Ｂ）に示すように、左入線の場合も同様に、照明ユニット１００は、左端に配置された照明装置１Ｃに接続されたＡＣケーブル２７からの電力を、照明装置１Ａ，１Ｂ，１Ｃの全てに供給できる。なお、この場合、照明装置１Ｃのケーブル２２と、ＡＣケーブル２７とは、両側がメスのアダプタ２９を介して接続すればよい。
【０１１０】
図２１は、実施形態の照明装置１Ａ，１Ｂ間の連結部分を拡大して示す図である。
図２１（Ａ）は、上側Ｚ２から見た図である。
図２１（Ｂ）は、右側Ｘ２から見た断面図である。
以下、照明装置１Ａ，１Ｂ間の連結部分を説明するが、照明装置１Ｂ，１Ｃ間の連結部分も同様な構成である。
照明ユニット１００は、接続子８１（奥側連結部）、Ｌ字金具８５（手前側連結部）を備える。
【０１１１】
接続子８１は、照明装置１Ａ，１Ｂをボード５側である奥側Ｙ２で連結する部材である。接続子８１は、例えば、樹脂の切削、射出成型等により製作できる。
接続子８１の形状は、左右方向Ｘに細長い直方体である。
接続子８１は、照明装置１Ａ，１Ｂの各基部１０の連結穴部１６ｃ（奥側穴部）に、左右方向Ｘから挿入され、嵌め込まれる。これにより、接続子８１は、奥側Ｙ２において照明装置１Ａ，１Ｂを位置決めする。
このように、接続子８１は、連結穴部１６ｃに挿入可能な大きさである。左右方向Ｘから見た断面形状は、例えば、１辺が１０ｍｍ以上の長方形である。このため、接続子８１は、十分な強度を有する。
【０１１２】
Ｌ字金具８５は、照明装置１Ａ，１Ｂをボード５側とは反対側である手前側Ｙ１で連結する部材である。Ｌ字金具８５は、例えば、金属板をプレス加工すること等により製作できる。
Ｌ字金具８５は、前板部８５ａ（第１板部）及び上板部８５ｂ（第２板部）が、断面がＬ字状になるように連結されたような形状である。このため、Ｌ字金具８５は、十分な強度を有する。
Ｌ字金具８５は、上板部８５ｂの取り付け穴を用いて、基部１０の溝部１２ａにネジ止めされて固定される。溝部１２ａへのネジ止めの方向は、溝部１２ａの深さ方向（つまり鉛直方向Ｚ）である。また、Ｌ字金具８５が基部１０に固定された状態において、前板部８５ａの先端は、隔壁１５に当接するように配置される。これにより、Ｌ字金具８５は、手前側Ｙ１において照明装置１Ａ，１Ｂを位置決めする。
【０１１３】
このように、照明ユニット１００は、隣合う照明装置１Ａ，１Ｂ，１Ｃの間を、奥側Ｙ２及び手前側Ｙ１でそれぞれ位置決めすることができる。また、接続子８１、Ｌ字金具８５は、十分な強度を有する。
これにより、隣合う照明装置１Ａ，１Ｂ，１Ｃは、十分な精度で位置決めされて連結され、かつ、連結された状態で十分な強度を有する。
また、Ｌ字金具８５は、右キャップ６０Ｒ、左キャップ６０Ｌを取り付け用の溝部１２ａを、ネジ止めする方向を変えることにより、兼用して固定できる。すなわち、右キャップ６０Ｒ、左キャップ６０Ｌは、溝部１２ａの左右開口に対して、溝部１２ａの長手方向（つまり左右方向Ｘ）にネジ止めされている（図１４（Ａ）、図１８（Ａ）参照）。これにより、基部１０は、Ｌ字金具８５を取り付けるための個別の構成が不要である。
【０１１４】
［アーム部等を用いたボード１０５への取り付け］
図２２は、実施形態の照明ユニット１００の右端に配置された照明装置１Ａのボード１０５への取り付け部分を拡大して示す斜視図である。
以下、照明ユニット１００のボード１０５への取り付け部分を説明するが、照明装置１単体でも同様に、ボード１０５に取り付けることができる。
照明装置１Ａは、特開２０１５−９７１５８号公報の照明装置２１０と同様に、基部取り付け補助部１２６、アーム部１３０（アーム本体１３１、アーム装着部１３２）、接続金具１３５、ケーブルカバー１４０等を用いて、曲面黒板等のボード１０５に取り付けることができる。
【０１１５】
なお、この場合、作業者は、右キャップ６０Ｒから分離片６２ｂ（図１５（Ａ）参照）を分離して、右キャップ６０Ｒに切り欠きを設ければよい。これにより、右キャップ６０Ｒは、ケーブルカバー１４０を通ってきたＡＣケーブル２７を、この切り欠きを通すことにより、カバー部７０内に導くことができる。
【０１１６】
以上、本発明の実施形態について説明したが、本発明は前述した実施形態に限定されるものではなく、例えば、種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態の構成は、それらの一部のみ用いること、又は適宜組み合わせて用いることもできるが、詳細な説明は省略する。
【符号の説明】
【０１１７】
１，１Ａ，１Ｂ，１Ｃ…照明装置    ５，１０５…ボード    １０…基部    １０ａ，１９ａ…開口縁部    １２…配電収容部    １２ａ，１６ｄ…溝部    １３…照明収容部    １５…隔壁    １６ｃ…連結穴部    １９…上蓋    ２０…配電部    ２０ａ，２１〜２３，３１ａ…ケーブル    ２４…分配器兼用コネクタ    ２５…変換器    ２７…ＡＣケーブル    ３０…照明部    ３１…基板    ３２…ＬＥＤ    ３３…集光レンズ    ３４…光吸収部    ３４ａ…湾曲部    ３４ｂ…板状部    ３５…レンチキュラレンズ板    ３５ａ…レンチキュラレンズ    ３５ｂ…拡散面    ３６…アクリル板    ３７…反射壁    ４０…光学部材保持部    ４１…レール    ４１ａ，４１ｂ…リブ    ４５…ストッパ    ４６ｄ…押圧部    ４７…レール挿入部    ４８…ロック部    ４８ｅ…支点    ４９…目隠し部    ５０Ｌ…左側部    ５０Ｒ…右側部    ５０ｂ…分離溝    ６０Ｌ…左キャップ    ６０Ｒ…右キャップ    ６１…前半板    ６２…後半板    ６５ａ…中央部    ６５ｂ…突出部    ６５ｃ…延設部    ６５ｅ…傾斜部    ６５ｆ…傾斜面    ６５ｇ…押圧突起    ６６…係合溝    ６７…取り付け穴    ６９…切り欠き    ７０…カバー部    ７１…内カバー    ７１ｂ…分離片    ７１ｄ…リブ    ７１ｇ…押圧穴    ７１ｈ…内突起    ７２…傾斜壁    ７５…外カバー    ７５ｂ…ケーブル穴    ７５ｊ…取り付け穴    ７８…切り欠きキャップ    ７８ａ…本体    ７８ｄ…リブ    ７８ｈ…凸部    ７８ｉ…爪    ８１…接続子    ８５…Ｌ字金具    ８５ａ…前板部    ８５ｂ…上板部    １００…照明ユニット
【図１】
2020087508.tif 000003
【図２】
2020087508.tif 000004
【図３】
2020087508.tif 000005
【図４】
2020087508.tif 000006
【図５】
2020087508.tif 000007
【図６】
2020087508.tif 000008
【図７】
2020087508.tif 000009
【図８】
2020087508.tif 000010
【図９】
2020087508.tif 000011
【図１０】
2020087508.tif 000012
【図１１】
2020087508.tif 000013
【図１２】
2020087508.tif 000014
【図１３】
2020087508.tif 000015
【図１４】
2020087508.tif 000016
【図１５】
2020087508.tif 000017
【図１６】
2020087508.tif 000018
【図１７】
2020087508.tif 000019
【図１８】
2020087508.tif 000020
【図１９】
2020087508.tif 000021
【図２０】
2020087508.tif 000022
【図２１】
2020087508.tif 000023
【図２２】
2020087508.tif 000024